(57)【要約】      （修正有）【課題】巨石または不規則な岩の面が地中に現れるというような困難な打ち込み状況にも対応できる擁壁を提供する。【解決手段】その一側に物質を保持するための擁壁１０は、互いに間隔を空けて配置され、上方に突出した複数の主要シートパイル１２であって、重量、寸法、強度および支持用の物体において設置されるべき深さのうちの少なくとも１つを含む第１の構造上の特性を有する主要シートパイル１２と、一対の主要シートパイルの間の間隔に広がるとともに、保持されるべき前記物質の少なくとも一部を保持するよう配置された資材からなる１つまたは２つ以上の中間パネル１４と、を備えている。１つまたは２つ以上の中間パネル１４は、第１の構造上の特性とは異なる第２の構造上の特性を有している。【選択図】図１
2018184829.tif 000002
【特許請求の範囲】
【請求項１】
その一側に物質を保持するための擁壁において、
互いに間隔を空けて配置され、上方に突出した複数の主要構造部材であって、支持用の物体内に設置された深さを含む第１の構造上の特性を有する主要構造部材と、
一対の主要構造部材の間の間隔に水平方向に広がり、これによって複数の主要構造部材の間で物質を保持するよう配置された資材からなる１つまたは２つ以上の中間パネルと、を備え、
前記主要構造部材は、シートパイルからなり、
１つまたは２つ以上の中間パネルが、前記主要構造部材よりも小さな深さで前記支持用の物体の中へ下方に突出し、これにより、第１の構造上の特性とは異なる構造上の特性を有し、
前記複数の主要構造部材が、前記擁壁における、屈曲およびせん断変形に対する主要な構造上の抑制を提供するよう、１つまたは２つ以上の中間パネルは、物質を保持することのみに適切である、ことを特徴とする擁壁。
【請求項２】
１つまたは２つ以上の中間パネルのための資材が、第２のシートパイル、前記支持用の物体の中へ打ち込まれるよう構成された柔軟なシートおよび硬質資材パネルのうちの少なくとも１つを含むことを特徴とする請求項１に記載の擁壁。
【請求項３】
１つまたは２つ以上の中間パネルが、一対の主要構造部材に接続されていることを特徴とする請求項１または２に記載の擁壁。
【請求項４】
１つまたは２つ以上の中間パネルが、互いに接続された少なくとも２つのパネルのための資材を含むことを特徴とする請求項１乃至３のいずれかに記載の擁壁。
【請求項５】
１つまたは２つ以上の中間パネルの鉛直方向における移動を所定の位置で制限するよう適合されたストッパーをさらに備えたことを特徴とする請求項１乃至４のいずれかに記載の擁壁。
【請求項６】
その一側に物質を保持するための擁壁を構築する方法において、
複数の主要構造部材を、主要構造部材が互いに間隔を空けて配置されるとともに支持用の物体の中へ下方に突出するよう配置する工程であって、主要構造部材が、支持用の物体内に設置された深さを含む第１の構造上の特性を有する、工程と、
１つまたは２つ以上の中間パネルを配置し、これにより、前記主要構造部材よりも小さな深さで前記支持用の物体の中に下方へ突出して第１の構造上の特性とは異なる構造上の特性を有しするとともに、一対の主要構造部材の間の間隔に水平に広がることによって前記複数の主要構造部材の間で物質を保持するようにする工程と、を備え、
前記主要構造部材は、シートパイルからなり、
前記複数の主要構造部材が、前記擁壁における、屈曲およびせん断変形に対する主要な構造的な抑制を提供するよう、１つまたは２つ以上の中間パネルは、物質を保持することのみに適切である、ことを特徴とする擁壁の構築方法。
【請求項７】
１つまたは２つ以上の中間パネルを一対の主要構造部材に接続する工程をさらに備えたことを特徴とする請求項６に記載の擁壁の構築方法。
【発明の詳細な説明】
【技術分野】
【０００１】
本発明は、擁壁および擁壁を構築する方法に関する。
【背景技術】
【０００２】
擁壁は、ビル、建造物またはエリアからの土および岩を食い止める構造物である。擁壁は、下り斜面の移動または侵食を防ぎ、また、鉛直またはほぼ鉛直の勾配変化のための支持体を提供する。防火堰および遮断壁、そして背水を保持する構造物もまた擁壁と考えられる。
【０００３】
従来の擁壁の一典型は、シートパイルから形成されている。シートパイルの壁は、地中に打ち込まれた鋼、ビニール、繊維ガラス、鉄筋コンクリートまたはプラスチックのシートパイルからなっている。 シートパイルの壁は、典型的には、壁の一側における掘削または盛り土を可能とするよう地面に鋼板を埋め込むことにより構築される。それらは、柔らかい土における高い土圧を保持することが求められる場合に最も効率的なものであると考えられている。しかしながら、シートパイルは、費用のかかるものであり、また、困難な打ち込み状況、とりわけ巨石または不規則な岩の面が地中に現れるという状況に対してほとんど順応できないものである。
【発明の概要】
【発明が解決しようとする課題】
【０００４】
困難な打ち込み状況に応じるため、シートパイルは、多くの場合、形成される擁壁の構造上の要求に適合させるよりもむしろ改善された打ち込みのし易さのために設計される。
従って、このことが、非効率かつコスト効率の良くないシートパイルの利用という結果をまねいている。
【発明を解決するための手段】
【０００５】
本発明によれば、その一側に物質を保持するための擁壁において、互いに間隔を空けて配置され、上方に突出した複数の主要シートパイルであって、重量、寸法、強度および支持用の物体において設置されるべき深さのうちの少なくとも１つを含む第１の構造上の特性を有する主要シートパイルと、一対の主要シートパイルの間の間隔に広がるとともに、保持されるべき前記物質の少なくとも一部を保持するよう配置された資材からなる１つまたは２つ以上の中間パネルと、を備え、１つまたは２つ以上の中間パネルが、第１の構造上の特性とは異なる第２の構造上の特性を有する、擁壁が提供される。
【０００６】
本発明による形態は、全体の壁の安定性のために必要とされる打ち込み性、強度または深さなどの主要な目的のために設計された（主要）シートパイルの使用を、一対の（主要）シートパイルの間に配置されるパネルの構造上の特性を埋め合わせるよう利用している。このようにして、シートパイルは、擁壁における鉛直方向に及ぶ機能のための構造上の能力の大部分をもたらすことができる。従って、中間パネルは、主要シートパイルと同等の構造上の特性を有している必要がない。例えば、中間パネルは、主要シートパイルの範囲まで支持用の地中に埋め込まれる必要はなく、また中間パネルは、小さい重量、寸法、費用および／または強度を有していてもよい。従って、費用の削減が中間パネルに関してなされ、壁がより継続維持可能な製品となり得る。
【０００７】
主要シートパイルの余剰の構造上の能力を利用して、例えば、本形態は、擁壁の機能のために構造上求められる比重よりも大きい比重の部分が設置状況によって必要とされる場所での擁壁を形成することに適用可能となっている。
【０００８】
１つまたは２つ以上の中間パネルは、改善された横方向の安定性をもたらすよう、一対の主要シートパイルを圧迫していてもよく、または、一対の主要シートパイルに接続されていてもよい。そのような接続は、水をもらさない封止部を中間パネルと主要シートパイルとの間にもたらすよう適合されていてもよい。
【０００９】
所定の形態は、さらに、１つまたは２つ以上の中間パネルの鉛直方向における移動を所定の位置で制限するよう適合されたストッパーまたはアレスタ（ａｒｒｅｓｔｅｒ）を備えていてもよい。これによって、擁壁を構築する際、中間パネルの的確な位置決めを補助することができる。ストッパー／アレスタは、主要シートパイルまたは中間パネルとは別々に配置されていてもよく、または、主要シートパイルまたは中間パネルに固定されていてもよい。
【図面の簡単な説明】
【００１０】
【図１】図１は、本発明の形態による擁壁の正面断面図であり、断面は、図２の線Ｙ−Ｙに沿って見られている。
【図２】図２は、図１の線Ｘ−Ｘに沿って見られた横断面図である。
【発明を実施するための形態】
【００１１】
図１および図２において、土および／または水などの物質１１をその一側に保持するための擁壁１０が示されている。擁壁１０は、互いに間隔を空けて配置された主要シートパイル１２と、一対の主要シートパイル１２の間の間隔に広がる中間パネル１４と、を備えている。
【００１２】
壁への主要な構造上の支持は、支持用の物体１８（言い換えれば、支持用の地面）の表面１６に深さ“Ｄ１”まで打ち込まれている主要シートパイル１２によりもたらされている。中間パネル１４は、支持用の物体の中に、より小さな深さ“Ｄ２”（すなわち、Ｄ１＞Ｄ２）まで打ち込まれており、また、保持される物質１１の少なくとも一部分を保持している。言い換えれば、１つまたは２つ以上の中間パネルの底部は、鉛直方向において、一対の主要シートパイルの底部に対してずれている。しかしながら、本発明の背景において、「鉛直方向にずれている」とは、故意に、かつ意識的に鉛直方向にずれていることを意味しており、ほぼ同等の深さで設置しようと試みる場合の建造の際の公差による小さな量だけのずれとは対照的なものとなっている。すなわち、「鉛直方向にずれている」は、支持用の物体において複数のシートパイルがほぼ同等の深さで設置されることが意図されていたが、しかし、構築の困難さおよび／または公差のために互いにわずかに鉛直方向にずれている、という状況を含んでいない。例えば、本発明の形態において、１つまたは２つ以上の中間パネルの底部は、一対の主要シートパイルの底部に対して、例えば、１０ｃｍよりも大きく、好ましくは５０ｃｍよりも大きく、さらにより好ましくは１ｍよりも大きく、鉛直方向においてずれている。
【００１３】
主要シートパイル１２は、壁における屈曲およびせん断変形に対する構造上の抑制を提供するための主要な部材として働く。一方、中間パネルは、一対の主要シートパイル１２の間で水平方向に広がることにより、土および／水などの物質１１を保持する。
【００１４】
中間パネル１４は、物質を保持するのに適切なものである必要があるのみであり、壁における主要な構造上の支持をもたらす必要はない。従って、中間パネル１４は、主要シートパイル１２よりも重量、寸法および／または強度が小さくなっていてもよく、また中間パネル１４は一般に、主要シートパイルと同等の距離までは支持用の地面に打ち込まれない。示されている形態において、中間パネル１４は、主要シートパイルの間に水平方向に広がることによって保持される材料を支持するのに必要とされる最小の長さからなっており、または、水の遮断などのその他の要求を満足するのに必要とされる最小の長さからなっている。
【００１５】
中間パネル１４は、例えば、プラスチック、強化プラスチック、木材、布、コンクリート、鉄筋コンクリートおよび金属を含む、様々な適切な材料から形成され得る。中間パネル１４はまた、主要シートパイル１２と同一の材料から形成されていてもよく、この場合、中間パネル１４はシートパイル１２からなっていてもよい。
【００１６】
中間パネル１４が主要シートパイル１２よりも小さな寸法を有するよう示されているが、しかしながら、中間パネル１４は、例えば、主要シートパイルと同一の寸法を有しながら、主要シートパイルとは重量および／または強度が異なるものとなっていてもよい。または、中間パネル１４は、構造上は主要シートパイルと同一になっているが、しかしながら、より短く、かつ中間部分の鉛直方向における屈曲能力に頼ることを必要とすることなく、主要シートパイルの間で水平方向に広がるよう設計されていてもよい。さらに、図１および２は主要シートパイル１２および中間パネル１４の上部を互いに同一の高さのものとして示しているが、その他の形態においては、それらは同一の高さとなっている必要はない。
【００１７】
示されている形態において、中間パネル１４は、擁壁を介して水の経路を防ぐまたは制限する封止部を形成するよう主要シートパイル１２に接続されている。さらに、中間パネル１４は、必要に応じて構造部材（図示せず）により強化されている。
【００１８】
擁壁１０は、互いに間隔を空けて配置され、支持用の地面の中へ下方に突出した複数の主要シートパイル１２を配置することにより構築されている。１つまたは２つ以上の中間パネル１４が、一対の主要シートパイル１２の間の間隔に広がるとともに、保持される物質１１の少なくとも一部を保持するよう配置されている。その際、中間パネル１４はまた、一対の主要シートパイルよりも小さな程度で支持用の地面の中へ下方に突出するよう配置される。
【００１９】
中間パネル１４は、所定の場所へ別個に打ち込まれ、または押し込まれてもよく、若しくは、主要シートパイル１２に固定されて主要シートパイル１２とともに設置されてもよい。
【００２０】
位置合わせを補助するため、一時的に長い二次的なパネルを一時的に用いて所定の形態が導入されてもよい。一時的に長い二次的なパネルは、（ａ）後に部分的に回収される一時的に長いパネルを形成するよう取り外し可能に接続された２つの部分と、底部の部分から取り外された上部の部分とからなっていてもよく、または、（ｂ）後に完全に回収され、より短い／より小さい中間パネルに置換される長いパネルを備えていてもよい。
【００２１】
ストッパーまたはアレスタ装置が、主要シートパイル、中間パネルおよび／または支持用の物体上で中間パネルの鉛直方向における移動を所望のレベルで制限するとともにそれらの的確な配置を補助するよう利用され得る。
【００２２】
いくつかの形態は、盛土に関しての高速道路の拡張など、地面の低い高さを保持するために比較的に大きなおよび／または長いシートパイルが必要とされる場合の用途にとりわけ適している。そのような状況において、シートパイルは、典型的には、擁壁の構造上の必要性に適合させるためというよりもむしろ、打ち込み性のために寸法決めされる。従ってシートパイルは、なされるべきコスト削減を可能とするような中間パネル１２の構造上の特性と引き替えに相殺され得る、かなりの余剰の構造上の能力を有している。
【００２３】
水を遮断する機能が要求される場合、このことは、様々な方法により実現され得る。例えば以下のような方法である。
（ｉ）遮断を実現するため、中間部分を深く打ち込みまたは押し込み、打ち込み性のために必要な程度に断面寸法を増加させる、およびまたは、予めの穴あけまたはジェット堀りなどの適切な手段により打ち込みを補助する。
（ii）スラリー壁（空にされ、そして、水の遮断を形成するようセメントベントナイトスラリーを用いて埋め戻された溝）、安定化された土壁またはバイブ壁（ｖｉｂ  ｗａｌｌ）（ベントナイトスラリーを圧入しながら大きな鋼のＩ型梁を打ち込むことにより形成された水の遮断）などの予め設置された低い透過性の遮断バリアに沿って擁壁を設置する。隣接する打ち込みが、連続的な遮断を形成するよう重ねられている。
（iii）所望の遮断の深さまで、所定の厚みの中間部分であって、軽い中間部分（マンドレル）と同一の形状からなる中間部分を、取り付けられたグラウトチューブ（ｇｒｏｕｔ  ｔｕｂｅ）とともに打ち込みまたは押し込み、そして、マンドレルとしての圧入用グラウトが回収され、その後、所定の形態における中間部分の通常の深さまで、薄い中間部分を打ち込む。
（iv）（iii）と同様に、しかしながら、薄い中間部分が十分な深さ（すなわち、主要シートパイルと同一の深さ）まで押し込まれる。
（ｖ）（iii）または（iv）と同様に、しかしながら、グラウトの圧入無しで行われる。
【００２４】
上述のようにマンドレルを用いる同様の技術が、グラウトチューブおよび圧入とともに、またはグラウトチューブおよび圧入無しで、より軽い中間部分を、予めの穴あけまたはジェット堀りにより補助された打ち込みを含む通常の手段により中間部分が前進させられ得る程度の深さまで前進させるために用いられてもよい。
【００２５】
説明のため特定の形態が記載されているが、しかしながら、様々な変形例が、当業者にとって自明であり、また、本発明の範囲から逸脱することなくなされ得る。
【００２６】
例えば、片持ち梁のように作られた、または弓形の擁壁の分野において様々な形態が実施されてもよく、また、物質を保持するため引っ張りまたは圧縮の両方で働くよう、中間パネルが弓形状からなっていてもよい。
【００２７】
また、中間パネルは、間隔を空けて配置された一対のシートパイルの間の間隔よりも大きな幅からなっていてもよい。そのような形態において、パネルは、シートパイルには接続しないが、その代わりに、背後／正面に単にはめ込んでおり、これによって、シートパイルの側面を圧迫することができる。
【図１】
2018184829.tif 000003
【図２】
2018184829.tif 000004